(57)【特許請求の範囲】
【請求項１】
使用者による進退動及び回動が自在な操作部と、流入路と流出路を有する弁室と、前記操作部により回転方向に駆動されるロッドと、前記ロッドと連動し前記弁室内部を摺動して流量を調整する第一の弁体と、前記操作部により進退方向に駆動されるスピンドルと、該スピンドルに連動して前記弁室内の流路の開閉を制御する第二の弁体とを有する流量制御装置を便器本体に装着される機器収納本体内に設けてなり、前記操作部の進退動により第二の弁体を動作させて給水を開始し、回動により第一の弁体を動作させて流量調整する衛生洗浄装置であって、
前記便器本体の上面に装着された便座への着座、非着座を検知する着座検知機構と、
前記流量制御装置の下流に設けられた流路切替機構と、を備え、
前記着座検知機構の検知に応じて前記流路切替機構が、前記流路切替機構内部に設けられた弁機構を駆動し、着座時には前記流出路からの給水を局部に噴出するノズル装置へ連通し、非着座時には前記流出路からの給水を前記便器本体のボール内へ排水する排水用接続管へ連通することを特徴とする衛生洗浄装置。
【発明の詳細な説明】
【０００１】
【発明の属する技術分野】
本発明は、流体の流量を制御する流量制御弁に関し、特に人体局部を洗浄する衛生洗浄装置に用いられる流量制御弁に関する。また、流量制御弁を備えた衛生洗浄装置に関する。
【０００２】
【従来の技術】
従来の流体を制御する制御弁には、リフト弁が多く用いられており、ハンドルを回動することにより、リフト量を制御して、流量を調整するものである。このようなリフト弁では、閉止させるためにハンドルをきつく締める必要がある。また、所定量以上の流量を得るためにはハンドルを大きく回動させる必要がある。
【０００３】
ところで、例えば、従来の衛生洗浄装置においては、局部洗浄には温水が用いられており、また、局部洗浄後は乾燥装置により人体局部を乾燥するように構成されている。更に、ノズル装置はモータにより駆動され、タッチスイッチ等により電磁弁若しくはポンプを駆動することで、局部洗浄を行うよう構成されている。そして、洗浄感の向上を図るため、ノズル装置を前後に動かせて洗浄を広範囲に行わせた洗浄機能を追加したり、電気的な流調弁を電磁弁下流に設け、その流調弁開度をモータ等により周期的に変えたりしてマッサージ効果を狙った洗浄機能を追加したりしたものまで市場に投入されている。
【０００４】
このような洗浄機能を高めた衛生洗浄装置は消費者を満足させるものである反面、コストは高くなるという要素を備えている。
【０００５】
ところで、近年このような衛生洗浄装置は、飛躍的に普及を遂げている。その普及に伴い、消費者の好みは多様化しており、乾燥装置を不要に思う消費者も多数でてきた。
【０００６】
一方で、さらなる普及に障害となるのは、トイレブース内へコンセントを設けるために電気工事である。衛生洗浄装置普及前はトイレブースで電気製品を使うことは一般的ではなかったため、トイレブース内にコンセントが設置されていない家屋が多い。従って、トイレブース内へコンセントを設けるために電気工事が必要であり、消費者は衛生洗浄装置の購入に際し、電気工事の手間や費用を考慮する必要があった。
ところで、熱帯や亜熱帯の地域では、洗浄水吐水は温水である必要はない。このような場合に、洗浄水吐水のオン／オフ並びにその流量調整を手動で行える構成とすれば、電気を必要とする構成部材はまったく必要ない。
【０００７】
一方、ホテル等ではセントラルヒーティングが普及しており、各部屋へ温水用の配管が引き込まれており、衛生洗浄装置自体に熱源は不要である。
【０００８】
【発明が解決しようとする課題】
本発明は、ワンタッチで所定流量の給水が得られる流量制御装置を提供することである。また、別の目的として、上述のような、温水も必要なく、乾燥も必要ないという消費者にとっては、電気工事の必要が無い衛生洗浄装置が望まれている。しかし、タッチスイッチ等による操作感に慣れた使用者にとっては、電気部材を使わない衛生洗浄装置は使い勝手を悪くするかも知れない。従って、本発明の目的は、従来の電気部材を使う衛生洗浄装置と比較しても、使い勝手が悪くならない衛生洗浄装置を提供することである。
【０００９】
【課題を解決するための手段およびその作用・効果】
本発明の衛生洗浄装置は、使用者による進退動及び回動が自在な操作部と、流入路と流出路を有する弁室と、前記操作部により回転方向に駆動されるロッドと、前記ロッドと連動し前記弁室内部を摺動して流量を調整する第一の弁体と、前記操作部により進退方向に駆動されるスピンドルと、該スピンドルに連動して前記弁室内の流路の開閉を制御する第二の弁体とを有する流量制御装置を便器本体に装着される機器収納本体内に設けてなり、前記操作部の進退動により第二の弁体を動作させて給水を開始し、回動により第一の弁体を動作させて流量調整する。すなわち、操作部を進退動することにより、第二の弁体が開き、第一の弁体へ流れが生じる。次に、操作部を回動すると、第一の弁体が回転し、流量が増大する。つまり操作部の回動位置により、第一の弁体の位置が共に変化し、流路への開口面積が変わり流量を調整するものである。これにより、ワンタッチで所定量の給水を開始させることができ、また同一の操作部による操作で流量調整ができる。
また、前記便器本体の上面に装着された便座への着座、非着座を検知する着座検知機構と、
前記流量制御装置の下流に設けられた流路切替機構と、を備え、
前記着座検知機構の検知に応じて前記流路切替機構が、前記流路切替機構内部に設けられた弁機構を駆動し、着座時には前記流出路からの給水を局部に噴出するノズル装置へ連通し、非着座時には前記流出路からの給水を前記便器本体のボール内へ排水する排水用接続管へ連通することにより、非着座時に操作部を操作しても、洗浄水はノズル装置へは供給されず、ボール内に直接排水されるため、ノズル装置からの不用意な放水により衣服等を濡らす恐れがない。
【００１０】
【発明の実施の形態】
以下本発明の第１の実施例を図１乃至図７の図面を参照して説明する。図１は、本発明の流量制御装置を備えた衛生洗浄装置１を装着した洋式便器を示す外観図、図２は、衛生洗浄装置１の全体構成図である。
【００１１】
図示するように、衛生洗浄装置１は、便器本体２の後部に装着されており、機器収納本体３を有する。この機器収納本体３には、便器本体２のボール内に進退するよう構成され、洗浄水を局部に噴出するノズル装置４が収納されている。また、この衛生洗浄装置１には、便器本体２の上面に装着される便座５とこれを閉じる便蓋６とが、開閉自在に設けられており、便座は、機器収納本体３に設けた縦方向に空けられた楕円形状のヒンジ孔３ａから突出して設けられるヒンジ軸７に枢止されている。
【００１２】
ヒンジ軸７は、スプリング８の付勢力を常時上向きに受けた状態で、押圧部材９により水平に支えられ、この付勢力を便座５に及ぼして当該便座を後端側で支持する。このヒンジ軸７に上記したように連結された便座５は、後端側では上記したようにヒンジ軸７に支持されスプリング８の付勢力が及んで持ち上げられており、先端側を便器本体２に接触させた状態で便器本体２に装着される。この場合、便座の中間部は、便座５に使用者が着座していないときには便器本体２の上面に隙間が空くようその高さが定められているので、便座５は、その中間部分を便器本体２の上面から持ち上げた状態で保持されることになる。そして、便座５に使用者が着座した着座状態では、便座５の中間部分が便器２の上面に接するまで、スプリング８の付勢力に抗して押し下げられる。その一方、使用者が便座５から離れた未着座状態では、便座５は、スプリング８の付勢力を受けてヒンジ軸７と共に持ち上げられる。つまり、便座５は使用者の着座に伴ってヒンジ軸７と共に進退動し、便座の中間部分と便器本体２の上面との間の隙間は、着座の際の便座５の上下ストロークとなり、本実施例では、約６．５ｍｍ程度とされている。
【００１３】
次に、この便座５への着座動作を検知するための着座検知機構１０と、この着座検知機構１０に連動して機能する洗浄機構について説明する。まず、ノズル装置４について説明する。
【００１４】
次に、着座検知機構１０について、図２、図３を用いて説明する。前述したように、押圧部材９はヒンジ軸７と共に、便器使用者の便座５への非着座、着座に連動して、進退動する。そしてこの進退動はワイヤー１１によって、流路切替機構１２の流路切替弁１３を駆動する。流路切替機構は外郭を形成する流路形成体１２ａ、閉塞体１２ｂと、流路切替弁１３とからなる。流路形成体１２ａは、一端を開放する略円筒状に形成されており、その開放端には閉塞体１２ｂが螺合接続される。また、流入ポート１４、排水ポート１５、流出ポート１６とが設けられており、流入ポート１４は洗浄水バルブ体１７の洗浄用流路１８と洗浄用接続管１９を介して接続され、排水ポート１５はボール内に開口する排水用接続管２０に接続され、流出ポート１６は熱交換器２１及び混合器２２へ接続管２３を介して接続される。
【００１５】
流路切替弁１３は、その一端をワイヤー１１に連結し、その他端にバルブ２４を形成している。また中央部を縮径させており、その両端に流路形成体１２ａの内径と略等しい外径をもつガイド部１３ａ、１３ｂを形成しており、夫々のガイド部１３ａ、１３ｂの両端に設けられる室を水密に区画するため、Ｏリング２５、２６が外周に嵌合される。また、スプリング２７により排水ポート１５を閉塞する方向に付勢されている。なお、このスプリング２７は着座時のワイヤー１１の伝達力を助勢するために設けられている。
【００１６】
以上の構成により流路切替機構は、非着座時には図３（ａ）に示す位置にあり、流入ポート１４と排水ポート１５とを連通させ、着座時には図３（ｂ）に示す位置にあり、流入ポート１４と流出ポート１６とを連通させる。従って、非着座時に後述する操作ボリューム４９（操作部）を操作しても、洗浄水はノズル装置４へは供給されず、ボール内に直接排水される。従って、ノズル装置４からの不用意な放水により衣服等を濡らす恐れがない。
【００１７】
図４の概略断面図に示すように、ノズル装置４は、ノズルシリンダ４ａ内に洗浄用ノズル４ｂをその軸方向に摺動自在に有し、この洗浄用ノズル４ｂは、その鍔部４ｃを介してスプリング４ｄの付勢力を常時受けている。よって、洗浄用ノズル４ｂは、通常は図示する位置を採り、その先端部をノズルシリンダ４ａから外部に突出させている。また、ノズルシリンダ４ａの開口端には、給水金具４ｅを有するキャップ４ｆが水密に固定されている。なお、洗浄用ノズル４ｂは、ノズルシリンダ４ａ内において軸回りに回転しないように回り止めされている。更に、給水金具４ｌを有する位置調節用シリンダ４ｊ内に、前記ノズルシリンダ４ａをその軸方向に摺動自在に有し、前記ノズルシリンダ４ａの外周には、鍔部４ｉが設けられ、その鍔部４ｉを介してスプリング４ｍの付勢力を常時受けている。よって、ノズルシリンダ４ａは、通常は図示する位置を採る。また、位置調節用シリンダ４ｉの開口端には、前記ノズルシリンダ４ａを摺動可能に、キャップ４ｋが水密に固定されている。
【００１８】
上記した構成のノズル装置４は、給水金具４ｅからの給水を受けると、その水圧により、鍔部４ｃがその水圧を受け、スプリング４ｄの付勢力に抗して洗浄用ノズル４ｂを図中右方向に摺動させる。この摺動の過程では、水は、鍔部４ｃとノズルシリンダ４ａの内壁との間の隙間を経てノズルシリンダ４ａ先端のノズル開口４ｇから流れ出す。これにより、洗浄用ノズル４ｂにおける吐水口４ｈの周辺の洗浄が行われる。また、人体局部の洗浄に適した洗浄位置まで洗浄用ノズル４ｂが図中右方向に摺動すると、吐水口４ｈから吐水されるよう構成されている。また、ノズル装置４は、給水金具４ｌからの給水を受けると、その水圧により、鍔部４ｉがその水圧を受け、スプリング４ｍの付勢力に抗して位置調節用シリンダ４ｉを図中右方向に摺動させる。
【００１９】
このノズル装置４は洗浄水バルブ体１７及び着座検知機構１０と接続されており、洗浄水バルブ体１７はノズル装置４への給水及びその際の流量調整及びノズルの位置切り替えを行い、以下の構成を備える。洗浄水バルブ体１７は、その概略断面図である図４に示すように、機器収納本体３に固定されるベース２８を有し、その図中左側のインレットパイプ２９から給水を受ける。こうして給水された水は、インレットパイプ２９内の流路２９ａを通ってその下流の逆止弁３０に至り、更にその下流の調圧弁３１における調圧駒３１ａで調圧されてから、バルブ本体３２の流入室３２ａに流れ込む。このバルブ本体３２には、流入室３２ａに直向して弁室３２ｂが形成されており、弁室３２ｂに対向して主弁３３が設けられる。主弁３３はダイヤフラムにより形成され、流入室３２ａと主弁３３の背圧室３３ｂとはブリード孔３３ａを介して連通している。また背圧室３３ｂと弁室３２ｂとは、パイロット流路３４及びパイロット弁３５を介して連通している。なお、弁室３２ｂには流量調整及び流路切替用の弁体３６が組み込まれている。
【００２０】
弁体３６は、その外周に埋め込み設置されたＹパッキン３６ａによりその水密化が図られていると共に、弁室３２ｂが形成されており、この弁室３２ｂにおいて軸線回りに回動自在とされている。そして、この弁体３６及びパイロット弁３５は後述する操作ユニット４４により操作される。また、弁体３６には、通過する水の流量を規定する流路及び切り替える流路がその外周壁を貫通して形成されており、通常は、洗浄用流路１８を開放するよう位置している。そして、操作ユニット４４をビデ洗浄の位置としたときには、洗浄用流路１８及びノズル位置調整用流路３７の双方を開放するように外周の流路を形成している。
【００２１】
次に、弁操作ユニット３８について、図５乃至図７に基づいて詳細に説明する。回転力伝達ロッド３９の外側には外周面に摺動溝４０が形成されている。また、スピンドル４１に一体的に形成された押管４２の内周面にはピン４３が突設されており、その先端部が摺動溝４０に係合されている。
【００２２】
そして、図７に示すように、摺動溝４０はほぼハート形の凸部４４を包囲するようにして、該凸部４４の突端４４ａ、４４ｂ、４４ｃの部分で連結された右側溝４０ａ、左側溝４０ｂ、Ｖ字溝４０ｃの三者によりほぼハート形に構成され、且つ右側溝４０ａと左側溝４０ｂの連結部底部（イ）はその上方突端４４ａの左寄りに位置し、左側溝４０ｂとＶ字溝４０ｃの連結部（ロ）前後の上部壁面は湾曲状に形成され、その頂部（ハ）は連結部（ロ）の下方突端４４ｂの右寄りに位置し、Ｖ字溝４０ｃの底部（ニ）はその下方に折曲部突端３９ａの右に位置し、Ｖ字溝４０ｃと右側溝４０ａの連結部頂部（ホ）はその下方突端４４ｃの右寄りに位置するように構成されている。なお、この実施例では、連結部頂部（イ）と連結部底部（ホ）とは切り込み溝に形成されているが、該両部（イ）、（ホ）をこのように切り込み溝にすることを必須とするものではない。
【００２３】
次に、上記のように構成された弁操作ユニット３８及び洗浄水バルブ体１７の動作について説明すると、第１の押動操作が行われた時には、初めにＶ字溝４０ｃの頂部（ニ）においてピン４３に係合停止していた摺動溝４０は、上記第１の押動操作によりそのＶ字溝４０ｃの右側部、連結部底部（ホ）、右側溝４０ａが順次ピン４３に沿ってスライドし、その連結部頂部（イ）がピン４３に係合したところでスライドを停止する。即ち、Ｖ字溝４０ｃの頂部（ニ）はその上方にある折曲部突端３９ａの右寄りに位置しているため、第１の押動操作によってスピンドル４１が上昇を始めた時には摺動溝４０はＶ字溝４０ｃの右側部が直ちにピン４３に沿うようになって連結部底部（ホ）に至り、第１の押圧による摺動溝４０のスライド作用はここまでで終わる。しかしスピンドル４１はスプリング４６によって上方に付勢されているため、操作ボリューム４９の押圧を停止するとスピンドル４１が上昇するから、摺動溝４０はこれによって上向きに摺動するようになる。ところがこの時、連結部底部（ホ）はその下方突端４４ｃの右寄りに位置するから、摺動溝４０はその右側溝４０ａの上端が直ちにピン４３に沿うようになり連結部頂部（イ）に至るのである。この機構は一般にハートカム機構といわれるものである。
この時、スピンドル４１はスプリング４６の付勢力によって押し上げられるため、スプリング４７の作用で摺動杆４５及び支持ロッド３５ａが押し上げられる。それに伴ってパイロット弁３５が押し上げられ、ブリード孔３３ａ→背圧室３３ｂ→パイロット流路３４→連通流路（弁体３６の周面に開口）→弁室３２ｂ→洗浄用流路１８の経路を通って水の流れが生じることにより、主弁の背圧室３３ｂの圧力が低下し、主弁が開放する。従って、流入室３６ａから弁室３２ｂへの直接の流れが発生し、着座検知機構１０、熱交換器２１、混合器２２を介してノズル装置４へ給水がなされる。ノズル装置４へ給水がなされると、前述したように洗浄用ノズル４ｂの吐水口４ｈから洗浄水が放出され、人体の局部に向けて放水が開始される。この状態で、操作ボリューム４９を徐々に右側に回転すると、回転力伝達ロッド３９ａにより弁体３６が回転し、洗浄用ノズル４ｂからの放出量を増やすことができる。なお、操作ボリューム４９を右側に回転すると、位置調節用シリンダ内にも水が供給されるため、洗浄用ノズル４ｂの吐出位置を前方へ移動し、ビデ洗浄に切り替わる。
【００２４】
次に、第２の押動操作が行われる時には、連結頂部（イ）においてピン４３に係合していた摺動溝４０は、上記第２の押動操作によりその左側溝４０ｂ、連結部（ロ）、底部（ハ）が順次ピン４３に沿ってスライドし、その頂部（ニ）がピン４３と係合したところでスライドを停止する。即ち、前述したように連結部頂部（イ）はその上方突端４４ａの左寄りに位置しているため、第１の押動操作によってスピンドル４１が下降を始めたときには摺動溝４０はその左側溝４０ｂの下降が直ちにピン４３に沿うようになり連結部（ロ）に至るが、該連結部（ロ）前後の下部壁面が湾曲状に形成されているため、次に該湾曲状壁面がピン４３に沿ってスライドしその底部（ハ）に至る。第１の押動操作による摺動溝４０のスライド作用はここまでで終わるが、スピンドル４１はスプリング４６によって上方に付勢されているため、操作ボリューム４９の押圧を停止するとスピンドル４１が上記付勢作用によって上昇するから、次には摺動溝４０のＶ字溝４０ｃの左側上部壁面がピン４３に沿うようになり、頂部（ニ）がピン４３と係合するようになる。そしてこのようにＶ字溝４０ｃの頂部（ニ）がピン４３と係合すれば、摺動溝４０は前記付勢作用によっても以降左右にスライドすることがないため、摺動溝４０はこの位置（ニ）においてピン４３により安定的に係止され、従って前記付勢作用に伴うスピンドル４１の下降が止まる。
【００２５】
この時、スピンドル４１はスプリング４６の付勢力に抗して押し下げられるため、スプリング４７に抗して摺動杆４５及び支持ロッド３５ａが押し下げられる。それに伴ってパイロット弁３５が押し下げられ、ブリード孔３３ａ→背圧室３３ｂ→パイロット流路３４→連通流路（弁体３６の周面に開口）→弁室３２ｂ→洗浄用流路１８の経路の水の流れが絶たれることにより、ブリード孔３３ａから主弁の背圧室３３ｂへ給水が行われ、徐々に背圧室３３ｂの圧力が上昇し、主弁が閉塞する。従って、ノズル装置４へ給水は絶たれ、前述したように洗浄用ノズル４ｂの吐水口４ｈからの洗浄水放出は停止され、洗浄用ノズル４ｂは初期位置へと戻る。（図５）
図８には、本発明の流量制御装置の第１の実施例の変形例を示す。なお、共通の機能を有するものに同一の符号を付すにとどめ、説明は省略する。先の実施例との相違はパイロット流路をダイヤフラムバルブを介さずに設けた点であり、そのため、回転力伝達ロッド３９とスピンドル４１とは異軸となる。
【００２６】
第２の実施例として、弁操作ユニット３８の作動に対して、遠隔操作ユニット５０を用いたものを、図９乃至図１２に基づいて詳細に説明する。なお、第１の実施例と共通部分については同一図番を付すに留め、詳細説明は省略する。図９は、本発明の流量制御装置を備えた衛生洗浄装置１を装着した洋式便器を示す外観図、図１０は、流量制御装置の断面図、図１１は遠隔操作ユニット５０の開閉スイッチ（ペダル）の断面図、図１２は流量調整スイッチの概略図である。
【００２７】
図９に示すように第１実施例の操作ボリューム４９に換えて遠隔操作ユニット５０を設けている。また、図１０に示すように、第１実施例に加えて、操作ボリューム４９とスピンドル４１との間に、エアバック５１及び復帰スプリング５２を介装させる。なお、エアバック５１は操作ボリューム４９に対して回動不能に取付けられ、操作ボリューム４９はスピンドル４１に対し伴回り可能（例えば、スプライン接合）に固定される。
【００２８】
次に遠隔操作ユニットの開閉スイッチについて、図１１を用いて詳細に説明する。図１１の（１）に示すようにベース５３を備えており、このベース５３の一端部にはペダル取付部５４が、また、中間部には装着孔部５５がそれぞれ形成してあり、また、ベース５３の上面部には装着孔部５５と同心的に筒状部５６が形成してあり、この筒状部５６の上端部には鍔状のストッパー部５７が形成してあって、この筒状部５６の内周面５６ａとストッパー５７とでベローフラム収容部５８を形成している。また、筒状部５６の端面部にはバネ受け部５９が形成してある。
【００２９】
また、ベース５３には、装着孔部５５の周面部から基端部５３ａにかけてエアー通路６０が形成してあり、このエアー通路６０の途中から分岐通路６１が分岐しており、この分岐通路６１はベース５３の上面部に開口している。また、エアー通路６０の基端面５３側の開口には接続管６２が設けてある。装着孔部５５には圧縮気体形成凹部５３ａを有するエアー室形成部材６３がシール部材６４を介して装着してあり、また、装着孔部５５内には弁機構６５が設けてあり、この弁機構６５によりエアー室形成部材６３内に気体室であるエアー室６６が形成してある。このエアー室形成部材６３にはエアー通路６０をエアー室６６に導く導通路６３Ａが設けてあって、これらで圧縮空気送出手段である圧縮気体通路を構成している。
【００３０】
前記弁機構６５は、円板状の弁体６７と、この弁体６７を保持する板状弾性部材であるベローフラム６８と、押さえ部材６９とを備えており、この弁体６７の周部には周壁部が立ち上げてあって、この周壁部がストッパー部７０を構成している。弁体６７の下部には雄ネジ部７２が設けてあり、この弁体６７の中心部には吸気孔７３が設けてある。
【００３１】
前記ベローフラム６８は円板状であり、その中央部に孔部６８ａを有しており、外周部には肉厚に成された係止部６８ｂが形成してある。このベローフラム６８は、その係止部６８ｂが、装着孔部５５の上端部とエアー室形成部材６３の合わせ目部の係止溝部７５に嵌合係止されて、ベース５３に取り付けられている。
【００３２】
前記ベローフラム６８は、その内周側で弁体６７を保持している。すなわち、この弁体６７の下面部にベローフラム６８の内周側が沿わせてあり、このベローフラム６８に下から押さえ部材６９が沿わせてあって、この押さえ部材６９を雄ネジ部７２に螺合されたナット部材７６を締めつけることにより、押さえ部材６９と弁体６７とでベローフラム６８の内周側を挟み付けている。また、エアー室６６内には弁機構６５を支える支持用弾性部材であるスプリング７７が収容してある。ベローフラム６８は湾曲してベローフラム収容部５８に収容されている。
【００３３】
前記ベース５３の上面部５３ａには圧縮空気放出手段であるクイックリリーフバルブ７８が設けてある。このクイックリリーフバルブ７８は、ベース５３の上面部に固着されたバルブホルダー７９を備えており、このバルブホルダー７９上端部には弁座部８０と排気孔８１とが設けてあり、また、バルブホルダー７９内には弁体８２とこの弁体８２を上方に付勢するスプリング８５とが収容してある。すなわち、この弁体８２はスプリング８５により上方に付勢されて着座部８３が弁座部８０に着座し、押しボタン部８４が排気孔８１から外方に突出している。バルブホルダー７９内がエアーチャンバー７９Ａに成されており、このエアーチャンバー７９Ａに、圧縮気体通路の分岐通路６１が連通している。
【００３４】
前記ベース５３には作動手段である開閉スイッチ７１が設けてある。この開閉スイッチ７１は、その基端部に回動支点である枢支部７４を、中間部の下面部に押圧部８６及び突起部８７をそれぞれ有しており、押圧部８６の下面部にパッキン８８が固着してある。
【００３５】
前記開閉スイッチ７１の回動支点である枢支部７４はペダル取付部５４にピン８９で連結してあり、バネ受け部５９にはリターンスプリング９０が装着してあり、このリターンスプリング９０が開閉スイッチ７１を支えており、押圧部８６が弁機構６５に対向し、突起部８７がクイックリリーフバルブ７８の押しボタン部８４に対向している。
【００３６】
上記のように構成された遠隔操作ユニット５０は、接続管６２に接続された配管９１を介してエアーバック用ケース３３に設けられた吸気孔４３に接続してあって、遠隔操作ユニット５０のエアー室６６は圧縮気体通路、配管９１を経てエアーバック５１に連通している。
【００３７】
次に、上記のように構成された衛生洗浄装置の動作を説明する。前記開閉スイッチ７１を押さない状態では、図１１の（１）に示すようにこの開閉スイッチ７１はリターンスプリング９０により持ち上げられている。このために、弁機構６５はスプリング７７により持ち上げられ、また、クイックリリーフバルブ７８においては、弁体８２がスプリング８５により上方に付勢されていて、弁体８２が弁座７１に着座して排気孔８１を閉塞している。
【００３８】
後述の弁操作ユニット３８においては、エアーバック５１にエアー（圧縮空気）の供給がなされないために操作ボリューム４９はなんら動かない。
【００３９】
次に、図１１の（２）に示すように開閉スイッチ７１をリターンスプリング９０に抗して押し込むと、この開閉スイッチ７１の下面部の押圧部８６のパッキン８８が弁機構６５の弁体６７の上面部に当接して吸気孔７３を塞ぎ、更にこの押圧部８６が弁体６７をスプリング７７に抗して押し下げてエアー室６６の体積を縮小させる。このために、このエアー室６６から吐出されたエアーは圧縮気体通路、配管９１を経てエアーバック５１に供給される。
【００４０】
弁操作ユニット３８においては、エアーバック５１が、内部にエアーが供給されることにより膨張してスプリング５２に抗してスピンドル４１を押し下げる。
【００４１】
更に、図１１の（３）に示すように開閉スイッチ７１をリターンスプリング９０に抗して押し込むと、この開閉スイッチ７１の下面部の突起部８７がクイックリリーフバルブ７８の弁体８２の押しボタン部８４に当接してこの弁体８２をスプリング８５に抗して押圧して、この弁体８２の着座部８３が弁座部８０から離れ、エアー通路６０の分岐通路６１が大気に開放される。
【００４２】
このために、弁操作ユニット３８においては、エアーバック５１内のエアーが配管９１、圧縮気体通路、分岐通路６１を介して大気に放出されてエアバック５１がスプリング５２の付勢力により持ち上げられる。なお、スピンドル４１は前述のハートカム機構により保持されたままである。  そして、再度開閉スイッチ７１を押し込むと、スピンドル４１は前述のハートカム機構により元の位置に復帰する。
【００４３】
次に、図１２を用いて流量調整ボリューム９２と弁操作ユニット３８との動作を詳細に説明する。流量調整スイッチ９２の先端にはかさ歯車９２ｂを軸９２ａにて連結する。また、回動伝達部材９３の一端には弁操作ユニット３８に連絡する配管９１を回動不能に接続する配管接続部９３ａを、他端には遠隔操作ユニット５０の接続管６２を回動自在に接続する連結部９３ｃを、その中途には、前記かさ歯車９２ｂの回転を回動伝達部材に変換するかさ歯車９３ｂを設ける。これにより、流量調整スイッチ９２の回動は回動伝達部材９３に伝達され配管９１を回動することができる。この配管９１の回動は操作ボリューム４９を介して前述の回転力伝達ロッド３９に伝えられれ、流量を調整することができる。
【００４４】
図１３、図１４は、第１の実施例の操作ボリューム４９若しくは第２の実施例の流量調整ボリューム９２に適用するためのもので、操作ボリューム４９若しくは流量調整９２の視認性を良くするためのものである。
【００４５】
以下、図に従って、詳細に説明する。なお、第１実施例に適用する場合を説明する。操作ボリューム４９内側には発光ダイオード９４及びその全周を覆う透光板９５を設ける。更に、発光ダイオード９４への電力をオンオフするため、発光ダイオード９４と電気的に接続する電気接点９６を設ける。発光ダイオードの他方には電池９８をリード線等で接続し、その先端には弁体３６の操作ボリューム４９が取り付けられる部位に設けられる電気接点１００に接続されている。
【００４６】
上記構成により、操作ボリューム４９を押し込むと電気接点９６と電気接点１００は短絡し、電池から発光ダイオード９４へ電力が供給され、発光ダイオードは点灯する。
【００４７】
操作ボリューム４９は例えば透明アクリル等の光を通す部材により形成されており、図１４に示すように例えばゴムモールドされた光を通さない部材１０１を波状に被せ更にその波の間隔を流量が大きくなるにつれ大きくなるように設けている。従って、操作ボリューム４９の回転位置により光の漏れ量が変り、流量が小さいときは暗く、大きいときは明るくなる。そのため、使用者はどの設定にしているか視認することができる。
【図面の簡単な説明】
【図１】本発明の第１実施例に係る流量制御装置を備えた衛生洗浄装置を装着した洋式便器を示す外観図
【図２】本発明の第１実施例に係る流量制御装置を備えた衛生洗浄装置１の全体構成図
【図３】本発明の第１実施例に係る衛生洗浄装置１に適用される着座検知機構１０の断面図
【図４】本発明の第１実施例に係る衛生洗浄装置１に適用されるノズル装置４の断面図
【図５】本発明の第１実施例に係る流量制御装置の断面図（弁閉止時）
【図６】本発明の第１実施例に係る流量制御装置の断面図（弁開放時）
【図７】本発明の第１実施例に係る流量制御装置の操作部の要部を示す断面図
【図８】本発明の第１実施例に係る流量制御装置の変形例の断面図
【図９】本発明の第２実施例に係る流量制御装置を備えた衛生洗浄装置を装着した洋式便器を示す外観図
【図１０】本発明の第２実施例に係る流量制御装置の断面図
【図１１】本発明の第２実施例に係る遠隔操作ユニット５０の開閉スイッチ（ペダル）の断面図
【図１２】本発明の第２実施例に係る流量調整スイッチの概略図
【図１３】本発明の第１の実施例の操作ボリューム４９若しくは第２の実施例の流量調整ボリューム９２に適用するためのもので、適用したときの操作ボリューム４９若しくは流量調整ボリュームの概略断面図
【図１４】図１３の操作ボリューム４９若しくは流量調整ボリュームの概略外観斜視図
【符号の説明】
１…衛生洗浄装置、２…便器本体、３…機器収納本体、３ａ…ヒンジ孔、４…ノズル装置、４ａ…ノズルシリンダ、４ｂ…洗浄用ノズル、４ｃ…鍔部、４ｄ…スプリング、４ｅ…給水金具、４ｆ…キャップ、４ｇ…ノズル開口、４ｈ…吐水口、４ｉ…鍔部、４ｊ…位置調節用シリンダ、４ｋ…キャップ、４ｌ…給水金具、４ｍ…スプリング、５…便座、６…便蓋、７…ヒンジ軸、１７…洗浄水バルブ体、２９…インレットパイプ、２９ａ…流路、３０…逆止弁、３１…調圧弁、３１ａ…調圧駒、３２…バルブ本体、３２ａ…流入室、３２ｂ…弁室、３６…弁体、３６ａ…Ｙパッキン、３３…主弁、３３ａ…ブリード孔、３３ｂ…背圧室、３４…パイロット流路、３５…パイロット弁、３５ａ…支持ロッド、３８…操作ユニット、４５…摺動管、４０…摺動溝、４０ａ…右側溝、４０ｂ…左側溝、４０ｃ…Ｖ字溝、３９…回転力伝達ロッド、３９ａ…折曲部突端、４２…押管、４３…ピン、４４…凸部、４４ａ…上方突端、４４ｂ…下方突端、４４ｃ…下方突端、４６…スプリング、４７…スプリング、４９…操作ボリューム、４１…スピンドル、９…押圧部材、８…スプリング、１１…ワイヤー、１２…流路切替機構、１２ａ…流路形成体、１２ｂ…閉塞体、１４…流入ポート、１５…排水ポート、１６…流出ポート、１３…流路切替弁、１３ａ…ガイド部、２５…Ｏリング、２４…バルブ、２７…スプリング、２１…熱交換器、２２…混合器、１９…洗浄用接続管、２０…排水用接続管、２３…接続管
【図１】
0003893680.tif 000002
【図２】
0003893680.tif 000003
【図３】
0003893680.tif 000004
【図４】
0003893680.tif 000005
【図５】
0003893680.tif 000006
【図６】
0003893680.tif 000007
【図７】
0003893680.tif 000008
【図８】
0003893680.tif 000009
【図９】
0003893680.tif 000010
【図１０】
0003893680.tif 000011
【図１１】
0003893680.tif 000012
【図１２】
0003893680.tif 000013
【図１３】
0003893680.tif 000014
【図１４】
0003893680.tif 000015